(57)【要約】【課題】小型軽量のセルフタイマー付きカメラの場合、金属製ワイヤ（例えば６ｍｍ径程度のアルミ製ワイヤ）でも、同ワイヤの形状を保ったまま十分にカメラを支持して自己撮影することが可能であり、しかも不使用時には上記金属製ワイヤを手の力でコンパクトに丸めて持ち運びできる点に着目して、簡便な手段により携帯しやすくした自己撮影用カメラ支持具を提供する。【解決手段】セルフタイマーＴ付きカメラＫを支持するための屈曲可能のワイヤ１が、例えば直径６ｍｍのアルミ材からなる芯線と、プラスチック製被覆層とを備えて構成されており、同ワイヤ１の一端にはセルフタイマーＴ付きカメラＫに着脱可能に螺合しうる回転操作用ノブ２付き雄ねじ部３としてのカメラ保持部が設けられ、同ワイヤ１の他端には自己撮影者が手で持つためのつば４ａ付きブロック４を備えている。【選択図】  図１
0003145972.tif 000002
【実用新案登録請求の範囲】
【請求項１】
一端にセルフタイマー付きカメラを着脱可能に装着しうるカメラ保持部を備えるとともに他端に把持部を備えた屈曲可能のワイヤからなり、同ワイヤが、上記カメラの被写体としての使用者の手で上記把持部を把持された状態で上記カメラを支持したまま同ワイヤの形状を保持しうる強度を備えていることを特徴とする、自己撮影用カメラ支持具。
【請求項２】
上記ワイヤが金属製の芯線と、同芯線を被覆する軟質のプラスチック製被覆層とを備えて構成されていることを特徴とする、請求項１に記載の自己撮影用カメラ支持具。
【請求項３】
上記カメラ保持部が、上記カメラの本体における雌ねじ穴に螺合可能の回転操作用ノブ付き雄ねじ部として構成されていることを特徴とする、請求項１または２に記載の自己撮影用カメラ支持具。
【請求項４】
上記把持部が、上記ワイヤよりも大径の把持用ブロックとして形成されていることを特徴とする、請求項１〜３のいずれか１つに記載の自己撮影用カメラ支持具。
【請求項５】
上記把持用ブロックが、上記ワイヤとの接続部に、つばを備えていることを特徴とする、請求項４に記載の自己撮影用カメラ支持具。
【考案の詳細な説明】
【技術分野】
【０００１】
本考案は、旅先などで他人に頼ることなく自己の姿を背後の風景などと共に撮影できるようにするための自己撮影用カメラ支持具に関する。
【背景技術】
【０００２】
一般に、自己撮影の際には、カメラ支持用三脚が用いられているが、旅先などで自己撮影を行うためには三脚を持参しなければならず、旅支度の荷物が嵩張るという不具合がある。
【特許文献１】特開２００２−３０３９２９号公報
【考案の開示】
【考案が解決しようとする課題】
【０００３】
本考案は、一般に用いられている小型軽量のセルフタイマー付きカメラの場合、金属製ワイヤ（例えば６ｍｍ径程度のアルミ製ワイヤ）でも、同ワイヤの形状を保ったまま十分にカメラを支持して自己撮影することが可能であり、しかも不使用時には上記金属製ワイヤを手の力でコンパクトに丸めて持ち運びできる点に着目して、簡便な手段により携帯しやすくした自己撮影用カメラ支持具を提供することを課題とする。
【課題を解決するための手段】
【０００４】
前述の課題を解決するため、本考案の自己撮影用カメラ支持具は、一端にセルフタイマー付きカメラを着脱可能に装着しうるカメラ保持部を備えるとともに他端に把持部を備えた屈曲可能のワイヤからなり、同ワイヤが、上記カメラの被写体としての使用者の手で上記把持部を把持された状態で上記カメラを支持したまま同ワイヤの形状を保持しうる強度を備えていることを特徴としている。
【０００５】
また、本考案の自己撮影用カメラ支持具は、上記ワイヤが金属製の芯線と、同芯線を被覆する軟質のプラスチック製被覆層とを備えて構成されていることを特徴としている。
【０００６】
さらに、本考案の自己撮影用カメラ支持具は、上記カメラ保持部が、上記カメラの本体における雌ねじ穴に螺合可能の回転操作用ノブ付き雄ねじ部として構成されていることを特徴としている。
【０００７】
また、本考案の自己撮影用カメラ支持具は、上記把持部が、上記ワイヤよりも大径の把持用ブロックとして形成されていることを特徴としている。
【０００８】
さらに、本考案の自己撮影用カメラ支持具は、上記把持用ブロックが、上記ワイヤとの接続部に、つばを備えていることを特徴としている。
【考案の効果】
【０００９】
上述の本考案の自己撮影用カメラ支持具では、同支持具をセルフタイマー付きカメラと共に景勝地などに持参して自己撮影を行う場合、同支持具におけるワイヤをコンパクトに丸めて容易に現地まで持ち運ぶことができ、このようにして現地で撮影を行う際には、上記ワイヤを所望の形状に引き伸ばして、同ワイヤの一端にセルフタイマー付きカメラを装着することにより、同ワイヤの強度で同カメラの保持が的確に行われ、ついで同ワイヤの他端における把持部を撮影者が手で把持して、上記セルフタイマー付きカメラを自己に向けるようにしながら、自己撮影が、自己の背後の風景などを選択して自由に行えるようになる。
【００１０】
また、上記ワイヤが、金属製の芯線と、同芯線を被覆する軟質のプラスチック製被覆層とを備えて構成されることにより、同被覆層の色が自由に選択できるほか、上記ワイヤの手触りが向上して、同ワイヤを不使用の際に丸めたり、同ワイヤを使用のために所望の形状に引き伸ばしたりする操作が容易に行われるようになる。
【００１１】
そして、上記ワイヤの一端におけるカメラ保持部が、上記カメラの本体における雌ねじ穴に螺合可能の回転操作用ノブ付き雄ねじ部として構成されていると、同雄ねじ部のノブを回転操作しながら上記ワイヤの上記カメラ本体への取付け操作を簡便に行うことが可能になる。
【００１２】
さらに、上記把持部が、上記ワイヤよりも大径の把持用ブロックとして形成されていることにより、撮影者は同ブロックを握って安定よく撮影操作を行えるようになる。
【００１３】
そして、上記把持用ブロックが、上記ワイヤとの接続部に、つばを備えていると、上記カメラの被写体としての使用者が上記ブロックを握りしめている手を緩めることがあっても、上記つばを介してカメラ等の重量が支持されるので、同カメラの落下を未然に防止することができる。
【実施例】
【００１４】
図１は本考案の一実施例としての自己撮影用カメラ支持具を、その使用のためセルフタイマー付きカメラに装着した状態を示す説明図、図２は図１のＡ−Ａ矢視断面図、図３は上記自己撮影用カメラ支持具を携帯のためコンパクトにまとめた状態を示す説明図であり、図４は上記自己撮影用カメラ支持具の使用状態の一例を示す説明図である。
【００１５】
図１〜３に示すように、本実施例の自己撮影用カメラ支持具における主体としての屈曲可能のワイヤ１は、直径６ｍｍのアルミ材からなる芯線１ａと、同芯線１ａを被覆する軟質のプラスチック製被覆層１ｂとを備えて構成されており、その一端にはセルフタイマーＴ付きカメラＫの底部の雌ねじ孔ａに螺合しうる回転操作用ノブ２付き雄ねじ部３が具備されている。
【００１６】
そして、ワイヤ１の他端の把持部１Ａには、カメラＫの被写体としての使用者Ｐが手で安定よく持てるように、ワイヤ１よりも大径の把持用ブロック（グリップ）４が設けられている。
なお、把持用ブロック４は、撮影者ＰがカメラＫの重量を安全に支持できるように、つば４ａを備えている。
【００１７】
上述の本実施例の自己撮影用カメラ支持具では、同支持具をセルフタイマーＴ付きカメラＫと共に景勝地などに持参して自己撮影を行う場合、同支持具におけるワイヤ１を図３に示すようにコンパクトに丸めて容易に現地まで持ち運ぶことができ、このようにして現地で撮影を行う際には、ワイヤ１を所望の形状に引き伸ばして、同ワイヤ１の一端にセルフタイマーＴ付きカメラＫを装着することにより、同ワイヤ１の強度で同カメラＫの保持が的確に行われ、ついで同ワイヤ１の他端の把持部１Ａにおける把持用ブロック４を撮影者Ｐが手Ｈで把持して、セルフタイマーＴ付きカメラＫを自己に向けるようにしながら、自己撮影が、自己の背後の風景などを選択して自由に行えるようになる。
【００１８】
また、ワイヤ１が、金属製の芯線１ａと、同芯線１ａを被覆する軟質のプラスチック製被覆層１ｂとを備えて構成されることにより、同被覆層１ｂの色が自由に選択できるほか、ワイヤ１の手触りが向上して、同ワイヤ１を不使用の際に丸めたり、同ワイヤ１を使用のために所望の形状に引き伸ばしたりする操作が容易に行われるようになる。
【００１９】
そして、ワイヤ１の一端におけるカメラ保持部が、カメラＫの本体における雌ねじ穴ａに螺合可能の回転操作用ノブ２付き雄ねじ部３として構成されているので、同雄ねじ部３のノブ２を回転操作しながらワイヤ１のカメラ本体Ｋへの取付け操作を簡便に行うことが可能になる。
【００２０】
さらに、把持部１Ａが、ワイヤ１よりも大径の把持用ブロック４として形成されていることにより、撮影者は同ブロック４を握って安定よく撮影操作を行えるようになる。
【００２１】
そして、把持用ブロック４が、ワイヤ１との接続部に、つば４ａを備えていることにより、カメラＫの被写体としての撮影者Ｐがブロック４を握りしめている手Ｈを緩めることがあっても、つば４ａを介してカメラＫ等の重量が支持されるので、同カメラＫの落下を未然に防止することができる。
【図面の簡単な説明】
【００２２】
【図１】本考案の一実施例としての自己撮影用カメラ支持具の使用のためセルフタイマー付きカメラに装着した状態を示す説明図である。
【図２】図１のＡ−Ａ矢視断面図である。
【図３】上記自己撮影用カメラ支持具の不使用状態の一例を示す説明図である。
【図４】上記自己撮影用カメラ支持具の使用状態の一例を示す説明図である。
【符号の説明】
【００２３】
１  ワイヤ
１Ａ  把持部
１ａ  芯線
１ｂ  被覆層
２  回転操作用ノブ
３  雄ねじ部
４  把持用ブロック
４ａ  つば
ａ  雌ねじ孔
Ｈ  手
Ｋ  カメラ
Ｐ  撮影者
Ｔ  セルフタイマー
【図１】
0003145972.tif 000003
【図２】
0003145972.tif 000004
【図３】
0003145972.tif 000005
【図４】
0003145972.tif 000006